(57)【特許請求の範囲】
【請求項１】
移動無線通信デバイスであって、
第１の構成モードから第２の構成モードへ構成変更を開始する時刻表示を含む構成モード変更メッセージを無線ネットワークサブシステムからローカル時刻で受信するように構成された無線送受信機と、
前記無線送受信機に接続された処理装置と、
前記無線送受信機と前記処理装置とに接続された論理部とを有し、
前記論理部は、
前記受信された構成モード変更メッセージから前記構成モード変更の開始の時刻表示を取り出し、前記取り出された時刻表示を前記ローカル受信時刻と比較し、前記取り出された時刻表示が前記ローカル受信時刻に先立つときは、前記取り出された時刻表示と異なる時刻に前記送受信機を前記第２の構成モードに再構成することを特徴とする移動無線通信デバイス。
【請求項２】
前記構成モード変更メッセージは複数のメッセージ部を含み、
前記論理部はさらに、
前記構成モード変更メッセージの最初のメッセージ部が受信されると第１時間値を判定し、
前記複数のメッセージ部の全てが受信されると第２の時間値を判定し、
前記第１の時間値と前記第２の時間値との差に基づいて受信時間間隔を計算し、
前記受信時間間隔が閾値を超えると前記構成モード変更を開始するよう構成されていることを特徴とする請求項１に記載の移動無線通信デバイス。
【請求項３】
前記論理部はさらに、
連続したフレームとして前記無線ネットワークサブシステムからの送信を受信し、
フレームを受信する毎に有限長ローカルカウンタを１増やすよう構成され、  
前記閾値は、前記移動無線通信デバイスの前記有限長ローカルカウンタがカウンタ値の全周期を完了する時間に等しいことを特徴とする請求項２に記載の移動無線通信デバイス。
【請求項４】
前記論理部はさらに、
前記受信された構成モード変更メッセージから取り出されたパラメータのセットから、前記無線送受信機が前記第２の構成モードで動作する期間を定義する時間間隔値を判定し、
前記判定された時間間隔値により定義される時間より短い時間間隔の後に前記無線送受信機を前記第２の構成モードから前記第１の構成モードへ戻るように再構成するよう構成されていることを特徴とする請求項１に記載の移動無線通信デバイス。
【請求項５】
前記論理部はさらに、
前記無線送受信機と前記無線ネットワークサブシステムとの間で連続したフレームとしてメッセージを送受信するよう構成され、
前記第１の構成モードは送信ギャップのない連続フレームを使用し、
前記第２の構成モードは、送信ギャップのある少なくとも１つの圧縮フレームと送信ギャップのない少なくとも１つの非圧縮フレームとを含むことを特徴とする請求項４に記載の移動無線通信デバイス。
【請求項６】
前記論理部はさらに、
前記無線ネットワークサブシステムにより提供されるシステムカウンタに基づき有限長ローカルカウンタを維持し、
フレームを受信する毎に整数値Ｎを法とする前記有限長カウンタを１増やすよう構成され、
前記ローカル受信時刻は、前記構成モード変更メッセージにおいて正しく受信された最後のフレームに対する前記有限長ローカルカウンタの値に相当することを特徴とする請求項４に記載の移動無線通信デバイス。
【請求項７】
移動無線通信デバイスを再構成する方法であって、
前記方法は、
無線ネットワークの無線ネットワークサブシステムからローカル受信時刻で制御メッセージを受信する工程と、
前記受信した制御メッセージからいつ構成モード変更を開始するか示す時刻表示を取り出す工程と、
前記取り出された時刻表示を前記ローカル受信時刻と比較する工程と、
前記取り出された時刻表示が前記ローカル受信時刻に先立つときは、前記取り出された時刻表示と異なる時刻に前記移動無線通信デバイスを第１の構成モードから第２の構成モードへ再構成する工程とを含む方法。
【請求項８】
前記取り出した時刻表示が前記ローカル受信時刻に先立つときは直ちに前記移動無線通信デバイスを第１の構成モードから前記第２の構成モードに再構成する工程をさらに含むことを特徴とする請求項７に記載の方法。
【請求項９】
前記受信された制御メッセージから取り出されたパラメータのセットから時間間隔値を判定する工程と、
前記判定された時間間隔値と前記ローカル受信時刻とに基づいてローカル終了時刻に前記移動無線通信デバイスを前記第２の構成モードから前記第１の構成モードに戻す再構成する工程をさらに含み、
前記ローカル終了時刻は前記ローカル開始時刻と所定の時間間隔値との和に先立つことを特徴とする請求項７に記載の方法。
【請求項１０】
前記移動無線通信デバイスは連続したフレームとしてメッセージを送受信し、前記第２の構成モードは、送信ギャップを有する少なくとも１つの圧縮フレームと送信ギャップのない少なくとも１つの非圧縮フレームとを送信又は受信することを含むことを特徴とする請求項８に記載の方法。
【請求項１１】
前記無線ネットワークにおける前記無線ネットワークサブシステムにより提供されるシステムフレームカウンタに基づいてローカルフレームカウンタを維持する工程をさらに含み、
前記構成モード変更の開始を示す前記取り出した時刻表示は前記ローカルフレームカウンタに対する値を示し、前記ローカルフレームカウンタの値はＮを法として計算されることを特徴とする請求項１０に記載の方法。
【請求項１２】
前記受信制御メッセージにおける最初の受信フレームに対する前記システムフレームカウンタに基づいて第１の拡張ローカルフレームカウンタ値を判定する工程と、
前記受信制御メッセージにおける最後の受信フレームに対する前記システムフレームカウンタに基づいて第２の拡張ローカルフレームカウンタ値を判定する工程と、
前記第２の拡張ローカルカウンタの値と前記第１の拡張ローカルカウンタの値との差が少なくとも整数値Ｎに等しいときに前記取り出された時刻表示により示されるより早い時刻に前記移動無線通信デバイスを第２の構成モードへ構成する工程とをさらに含むことを特徴とする請求項１０に記載の方法。
【請求項１３】
前記受信された制御メッセージにおける最初に受信されたフレームに対する前記システムフレームカウンタに基づいて第１の拡張ローカルフレームカウンタ値を判定する工程と、  
前記受信された制御メッセージにおける最後に受信されたフレームに対するシステムフレームカウンタに基づいて第２の拡張ローカルフレームカウンタ値を判定する工程と、
前記取り出された時刻表示に基づいて、前記第２の拡張ローカルフレームカウンタ値より大きい第３の拡張ローカルフレームカウンタ値を判定する工程と、
前記第３の拡張ローカルフレームカウンタ値と前記第１の拡張ローカルフレームカウンタ値との差が少なくとも整数値Ｎに等しいときに前記第３の拡張ローカルフレームカウンタ値により示されるより早い時刻に、前記移動無線通信デバイスを前記第２の構成モードへ構成する工程をさらに含むことを特徴とする請求項１０に記載の方法。
【請求項１４】
無線ネットワークに接続された移動無線通信デバイスを再構成するための、処理装置によって実行される命令を記憶したコンピュータ読み取り可能な記録媒体であって、前記移動無線通信装置に、
前記無線ネットワークにおける無線ネットワークサブシステムからローカル受信時刻で制御メッセージを受信するステップと、
構成モードの変更開始を示す時刻表示を前記受信された制御メッセージから取り出すステップと、
前記取り出された時刻表示を前記ローカル受信時刻と比較するステップと、
前記取り出された時刻表示が前記ローカル受信時刻に先立つときは、前記取り出された時刻表示と異なる時刻に前記移動無線通信デバイスを第１の構成モードから第２の構成モードに再構成するステップとを
実行させる命令を記憶したコンピュータ読み取り可能な記録媒体。
【請求項１５】
前記取り出された時刻表示を前記ローカル受信時刻と比較するステップと、
前記取り出された時刻表示が前記ローカル受信時刻に先立つときは前記移動無線通信デバイスをただちに前記第１の構成モードから前記第２の構成モードに再構成するステップとを実行させる命令をさらに含むことを特徴とする請求項１４に記載のコンピュータ読み取り可能な記録媒体。
【請求項１６】
前記受信された制御メッセージから取り出されたパラメータのセットから時間間隔値を判定するステップと、
前記移動無線通信デバイスを、前記判定された時間間隔値と前記ローカル受信時刻とに基づいてローカル終了時刻に前記第２の構成モードから前記第１の構成モードへ戻すよう再構成させるステップとを実行させる命令をさらに含むことを特徴とする請求項１４に記載のコンピュータ読み取り可能な記録媒体。
【請求項１７】
前記移動無線通信デバイスにおける送受信機を、連続するフレームとしてメッセージを送信及び受信するよう制御するステップを実行させる命令をさらに含み、
前記第２の構成モードは、送信ギャップを有する少なくとも1つの圧縮フレームと送信ギャップのない少なくとも1つの非圧縮フレームの送信又は受信を含むことを特徴とする請求項１４に記載のコンピュータ読み取り可能な記録媒体。
【請求項１８】
前記無線ネットワークにおける前記無線ネットワークサブシステムにより提供されるシステムフレームカウンタに基づいてローカルフレームカウンタを維持するステップを実行させる命令をさらに含み、
前記構成モード変更を開始するための前記取り出された時刻表示はローカルフレームカウンタに対する値を示し、前記ローカルフレームカウンタに対する前記値は整数Ｎを法として計算されることを特徴とする請求項１７に記載のコンピュータ読み取り可能な記録媒体。
【請求項１９】
前記受信された制御メッセージにおいて最初に受信されたフレームに対する前記システムフレームカウンタに基づいて第１の拡張ローカルフレームカウンタ値を判定するステップと、
前記受信された制御メッセージにおいて最後に受信されたフレームに対する前記システムフレームカウンタに基づいて第２の拡張ローカルフレームカウンタ値を判定するステップと、
前記第２の拡張ローカルフレームカウンタ値と前記第１の拡張ローカルフレームカウンタ値との差が少なくとも整数値Ｎに等しいときに前記取り出された時刻表示により示されるより早い時刻に、前記移動無線通信デバイスを第２の構成モードに構成するステップとを実行させる命令をさらに含み、
前記拡張ローカルフレームカウンタに対する値は、Ｎより大きいＭを法として計算されることを特徴とする請求項１８に記載のコンピュータ読み取り可能な記録媒体。
【請求項２０】
前記受信された制御メッセージにおける最初に受信されたフレームに対する前記システムフレームカウンタに基づいて第１の拡張ローカルフレームカウンタ値を判定するステップと、
前記受信された制御メッセージにおける最後に受信されたフレームに対する前記システムフレームカウンタに基づいて第２の拡張ローカルフレームカウンタ値を判定するステップと、
前記取り出された時刻表示に基づいて、前記第２の拡張ローカルフレームカウンタ値より大きな値である第３の拡張ローカルフレームカウンタ値を判定するステップと、
前記第３の拡張ローカルフレームカウンタ値と前記第１の拡張ローカルフレームカウンタ値との差が少なくとも整数値Ｎに等しいときに前記第３の拡張ローカルフレームカウンタ値により示されるより早い時刻に、前記移動無線通信デバイスを前記第２の構成モードに構成するステップとを実行させる命令をさらに含み、
前記拡張ローカルフレームカウンタに対する値は、Ｎより大きいＭを法として計算されることを特徴とする請求項１８に記載のコンピュータ読み取り可能な記録媒体。
【発明の詳細な説明】
【技術分野】
【０００１】
説明する実施形態は、一般に無線移動通信に関する。より詳しくは、移動無線通信デバイスにおいて構成変更時間を制御するための方法が説明される。
【背景技術】
【０００２】
移動無線通信デバイス、たとえばセルラー電話または無線携帯情報端末（PDA）などは、たとえば、音声通信、テキスト・メッセージング、インターネット閲覧、および電子メールを含む多種多様な通信サービスを提供できる。移動無線通信デバイスは、“セル”が重なっている無線通信ネットワークで動作でき、各セルは、セル内にある無線ネットワーク・サブシステムから広がる無線信号到達範囲の地理的領域を提供する。無線ネットワーク・サブシステムには、全地球移動通信システム（ＧＳＭ）ネットワークにおける無線基地局装置（ＢＴＳ）、またはユニバーサル移動体通信システム（ＵＭＴＳ）ネットワークにおけるＮｏｄｅ  Ｂを含むことができる。アイドルであろうと、接続して稼働中であろうと、移動無線通信デバイスは、無線通信ネットワークにおける“サービング”セル（serving cell）に関連付けられ、そして移動無線通信デバイスがまた関連付けできる隣接セルを認知できる。移動無線通信デバイスと無線ネットワーク・サブシステムとの間の通信リンクの品質は、それらの間の距離、および通信リンクの両端における受信信号に含まれる干渉に基づいて、変わる可能性がある。移動無線通信デバイスが関連付けられた無線ネットワーク・サブシステムからさらに遠ざかるにつれて、最終的には、隣接セルはその時点のサービングセルと同等か、またはより良好な性能の通信リンクを提供できる。移動無線通信デバイスには、それが関連するセルを切り替えるべきか、およびいつ切り替えるべきかを決定するための処理を含むことができる。移動無線通信デバイスがサービングセルに接続して稼働中であると、その場合、隣接セルに切り替える処理は“ハンドオフ”として知られる。
【０００３】
隣接セルの存在を検出するために、そして検出された隣接セルへの通信リンクの期待される品質を決定するために、移動無線通信デバイスは、隣接セル内にある無線ネットワーク・サブシステムにより周期的に報知されるメッセージを聴取できる。無線通信ネットワーク内の無線ネットワーク制御装置は、移動無線通信デバイスにより、周期的に報知されるメッセージを聴取する場合に採集される測定結果に基づいて、異なるセル間での移動無線通信デバイスのハンドオフを管理できる。ある無線通信ネットワークでは、サービングセル内の移動無線通信デバイスにより用いられる送信周波数スペクトルおよび受信周波数スペクトルは、隣接セルで用いられる送信周波数スペクトルおよび受信周波数スペクトルと重なる可能性がある。移動無線通信デバイスが、サービングセル内にあるネットワーク・サブシステムと絶え間なく送受信すると、その場合、移動無線通信デバイスは、同じ周波数スペクトルを占有する隣接セルにより送られる報知メッセージを聴取できない可能性がある。移動無線通信デバイスと、移動無線通信デバイスが関連付けられることができるサービングセル内のネットワーク・サブシステムとの間の送信を抑制するために、無線ネットワーク内のネットワーク制御装置は、送信中に測定のために用いることができる静寂な（quiet）期間を含む動作モードを開始できる。広帯域符号分割多元接続（ＷＣＤＭＡ）技術を用いるＵＭＴＳネットワークでは、そのような送信モードは、“圧縮”モードと呼ばれる。
【０００４】
ネットワーク制御装置は、“圧縮”モードに対する時間間隔を規定できるパラメータを、ネットワーク制御メッセージで移動無線通信デバイスに伝えることができる。ネットワーク制御メッセージには、移動無線通信デバイス、およびサービングセルの無線ネットワーク・サブシステムが開始および終了するための時刻表示を含めることができる。時刻表示は、移動無線通信デバイスおよび無線ネットワーク・サブシステムで動作される時刻同期カウンタに、少なくとも一部は基づくことができる。サービングセルの無線ネットワーク・サブシステムと移動無線通信デバイスの双方が、同時に“圧縮”モードに入るべきであるので、ネットワーク制御メッセージ開始時刻表示は、将来（future）時刻である可能性があり、それによりサービングセルの無線ネットワーク・サブシステムと移動無線通信デバイスの双方に、送信モードを変更するための準備をする時間を与える。サービングセルの無線ネットワーク・サブシステムから移動無線通信デバイスに、一連の個別パケットとしてネットワーク制御メッセージ全体を送信するのに必要な時間は、しかしながら、不確定な可能性がある。ネットワーク制御メッセージ内の各個別パケットは、移動無線通信デバイスへの送信中に個々に破損される可能性があり、そして無線ネットワーク・サブシステムによる再送を必要とする可能性がある。送信中にかなりの時間遅延があると、“圧縮”モードをいつ開始すべきかを規定する“将来”時刻表示が、“前の（past）”時刻を指す可能性があり、すなわち無線ネットワーク・サブシステムが移動無線通信デバイスより先に“圧縮”モードに入る可能性がある。その上、移動無線通信デバイスおよび無線ネットワーク・サブシステムで動作される時刻同期カウンタは、長さが有限であるデジタル・カウンタに基づく可能性があり、そしてこのようにして時刻同期カウンタは、しばらくすると“一巡する（roll over）”可能性がある。移動無線通信デバイスは、“圧縮”モードを開始するための時刻表示を、それらが実際には前の時刻を示す可能性がある場合に、将来時刻と解釈する可能性がある。移動無線通信デバイス、およびサービングセルの無線ネットワーク・サブシステムは、それらの間の通信リンクの各端点で圧縮モードを異なる時刻に開始し、そして終了する可能性があり、圧縮モード時間区間の不整合をもたらし、そして潜在的に送信誤りを招く。長さが有限である時刻同期カウンタに基づいた開始時刻表示を少なくとも含む、サービングセルの無線ネットワーク・サブシステムからの構成変更メッセージに対して、同様な誤りが発生する可能性がある。
【０００５】
このようにして、移動無線通信デバイスと無線ネットワーク・サブシステムとの間で、送信遅延および時刻同期カウンタ値が要因となる構成変更時間を制御する必要がある。
【発明の概要】
【０００６】
説明する実施形態は、一般に無線移動通信に関する。より詳しくは、移動無線通信デバイスにおいて構成変更時間を制御するための方法及び装置が説明される。
【０００７】
１つの実施形態では、構成変更時間を制御する方法は、移動無線通信デバイスで、移動無線通信デバイスが無線ネットワークに接続される場合に行われる。一実施例において、移動無線通信デバイスは最初に第１の構成モードで接続される。移動無線通信デバイスは、ローカルな受信時刻に、無線ネットワーク内の無線ネットワーク・サブシステムから制御メッセージを受信する。受信した制御メッセージは、移動無線通信デバイスの構成モード変更をいつ開始すべきかの時刻表示を含み、移動無線通信デバイスが制御メッセージから時刻表示を取り出す。移動無線通信デバイスは、取り出した時刻表示およびローカルな受信時刻に基づいて、第１の構成モードと異なる、第２の構成モードに再構成する。
【０００８】
更なる実施形態では、移動無線通信デバイスとネットワーク・サブシステムとの間で伝えられるメッセージは、複数の連続したフレームを用いて形成される。メッセージにおいて誤って受信したフレームは再送することができ、それにより完全なメッセージを正しく受信する時間を延ばす。移動無線通信デバイスは、取り出した時刻表示がローカルな受信時刻に先行するかどうかを判定し、そして直ちに第２の構成モードに再構成する。
【０００９】
別の実施形態では、移動無線通信デバイスには、無線送受信機、および無線送受信機に連結されたプロセッサがある。無線送受信機は無線ネットワーク・サブシステムからメッセージを受信し、メッセージには第１の構成モードから第２の構成モードへの構成モード変更を開始するための時刻表示を含む構成モード変更メッセージを含む。プロセッサは、受信した構成モード変更メッセージから時刻表示を取り出すための命令を実行するように構成される。プロセッサは、構成モード変更メッセージが正しく受信される場合、取り出した時刻表示をローカルな受信時刻と比較する。プロセッサは、構成モード変更メッセージで指示された時刻とは異なる時刻で、無線送受信機を第２の構成モードに再構成する。
【００１０】
更なる実施形態では、無線ネットワークに接続された移動無線通信デバイスを再構成するための、コンピュータで読み取り可能な記憶媒体にエンコードされたコンピュータ・プログラム・プロダクトが説明される。コンピュータ・プログラム・プロダクトには、無線ネットワーク内の無線ネットワーク・サブシステムから制御メッセージを受信するための、持続性のあるコンピュータ・プログラム・コードを含む。１つの変形では、制御メッセージには構成モード変更をいつ開始するか示す時刻表示を含む。持続性のあるコンピュータ・プログラム・コードは、一連の連続したフレームのようにメッセージを送受信するように、移動無線通信デバイス内の送受信機を制御する。移動無線通信デバイス内のローカル・フレーム・カウンタに対する値は、整数Ｎを法として（modulo）計算され、一方、拡張ローカル・フレーム・カウンタに対する値は、整数Ｍ＞Ｎを法として計算される。拡張ローカル・フレーム・カウンタに対する第１の値および第２の値は、制御メッセージの最初に受信したフレームおよび最後に受信したフレームに対して決定される。移動無線通信デバイスは、第２の拡張ローカル・フレーム・カウンタと第１の拡張ローカル・フレーム・カウンタとの差が整数値Ｎに少なくとも等しい場合に、制御メッセージ内の時刻表示により指示されるよりも早い時に再構成される。
【図面の簡単な説明】
【００１１】
本開示および本開示の長所は、添付の図面と併せてなされる以下の明細書を参照することにより、最もよく理解されるであろう。
【図１】無線セルラー通信ネットワーク内にある移動無線通信デバイスを説明する図。
【図２】無線通信ネットワークに対する階層アーキテクチャを説明する図。
【図３】移動無線通信デバイスに対する状態遷移図。
【図４】無線セルラー通信ネットワークにおいて、信号を測定する移動無線通信デバイスを説明する図。
【図５】移動無線通信デバイスに対する圧縮モード送信パターンを説明する図。
【図６】ユーザ装置（ＵＥ）と無線ネットワーク・サブシステム（ＲＮＳ）との間の測定メッセージ・シーケンスを説明する図。
【図７】ＵＥとＲＮＳとの間で、再送のあるパケット送信シーケンスを説明する図。
【図８】ＵＥおよびＲＮＳに対して整合がとれた圧縮モード区間、および不整合のある圧縮モード区間を説明する図。
【図９】同期フレーム・カウンタ値の、図７のパケット送信シーケンスとの整合を説明する図。
【図１０】ＵＥおよびＲＮＳに対して、部分的に整合がとれた圧縮モード区間を説明する図。
【図１１】移動無線通信デバイスにおいて、構成変更時間を制御するための方法を説明する図。
【発明を実施するための形態】
【発明を実施するための形態】
【００１２】
以下の明細書では、数々の具体的な詳細が、説明される実施形態の根底にある概念の完全な理解を提供するために明記される。しかしながら、当業者には、これらの具体的な詳細の一部または全てがなくても、説明される実施形態が実施可能であることは明らかであろう。他の例では、よく知られている処理工程は、根底にある概念を不必要に分かり難くするのを回避するために、詳細には説明されていない。
【００１３】
図１は、移動無線通信デバイス１０６が接続できる、無線通信セルが重なっている無線通信ネットワーク１００を説明している。各無線通信セルは、集中型無線ネットワーク・サブシステム１０４から広がる地理的領域を占めることができる。移動無線通信デバイス１０６は、無線通信ネットワーク１００内の多くの異なるセルから通信信号を受信でき、各セルは移動無線通信デバイスから異なる距離に位置している。無線通信信号の信号強度は送信端と受信端との間の距離の二乗に比例して減衰するので、移動無線通信デバイス１０６は、無線通信ネットワーク１００内のいくつかの異なるセルからの受信信号強度を測定できる。受信信号強度の測定結果は、移動無線通信デバイス１０６から無線通信ネットワーク１００に伝えることができ、そして無線通信ネットワーク１００内の（図示されていない）無線ネットワーク制御装置は、受信信号強度が変わるにつれて、異なるセル間で移動無線通信デバイス１０６の“ハンドオーバ”を管理できる。
【００１４】
セル間での“ハンドオーバ”中、移動無線通信デバイス１０６と無線通信ネットワーク１００との間の無線通信リンクは、変わることができる。“ハード”ハンドオーバに対しては、以前の無線通信リンクと新しい無線通信リンクの間には、わずかな時間の重なりが存在するか、または時間の重なりが存在しない可能性があって、“ハード”ハンドオーバは、移動無線通信デバイス１０６と無線通信ネットワーク１００との間で送信に用いられる無線通信リンク搬送波周波数を変える場合に、生じる可能性がある。移動無線通信デバイス１０６は、最初、サービングセル１０２からの送信を受信できる。移動無線通信デバイス１０６がサービングセル１０２内の無線ネットワーク・サブシステム１０４から遠ざかり（移動無線通信デバイス１０６で、無線ネットワーク・サブシステム１０４からの受信信号強度を減少させることになる）、そして隣接セル１１０内の無線ネットワーク・サブシステム１０８に近づく（無線ネットワーク・サブシステム１０８からの受信信号強度を増大させることになる）につれて、サービングセル１０２と隣接セル１１０との間で“ハード”ハンドオーバが、移動無線通信デバイス１０６で測定される受信信号強度が一定の閾値を跨ぐ場合に、生じる可能性がある。代表的な実施形態では、“ハード”ハンドオーバは、隣接セル１１０の受信信号強度がサービングセル１０２の信号強度を上回る場合に、生じる可能性がある。“ソフト”ハンドオーバもセル間の遷移で進行する。“ソフト”ハンドオーバ中、以前の無線リンクが取り除かれる前に、さらに測定された信号強度に基づいて新しい無線リンクが追加できるが、しかし、閾値は、“ハード”ハンドオーバに対して用いられる閾値と異なる可能性がある。ハンドオーバはまた、２つの異なる無線通信ネットワーク間で、各ネットワークが異なる無線通信技術を用いる場合を含めて、生じる可能性がある。たとえば、２つの異なる３Ｇネットワーク間で、または２Ｇネットワークと３Ｇネットワークとの間で生じる可能性があり、これは、inter-ＲＡＴ（無線アクセス技術間）ハンドオーバと呼ばれることがある。ハンドオーバは、円滑で途切れのない遷移を保証するために、移動無線通信デバイス１０６と無線通信ネットワーク１００の無線ネットワーク・サブシステム１０４との間での調整を必要とする可能性がある。
【００１５】
図２は、ＵＭＴＳアクセス・ネットワーク要素とＧＳＭアクセス・ネットワーク要素の双方を含む無線通信ネットワークのためのハイブリッド階層アーキテクチャ２００を説明している。ＧＳＭ無線通信ネットワークで動作している移動無線通信デバイス１０６は、移動機（ＭＳ）２０４と呼ばれることがあり、一方、ＵＭＴＳネットワークで動作している移動無線通信デバイス１０６は、ユーザ装置（ＵＥ）２０２と呼ばれることがある（移動無線通信デバイス１０６には、異なる無線通信ネットワーク技術を用いる複数の無線通信ネットワークに、たとえばＧＳＭネットワークに、およびＵＭＴＳネットワークなどに接続する機能を含むことがあり、このようにして、以下に続く明細書はまた、同様にそのような“マルチネットワーク”デバイスに適用できる。）。ＭＳ２０４は、基地局サブシステム（ＢＳＳ）２１８として知られる無線ネットワーク・サブシステムを通して、ＧＳＭ無線通信ネットワークに接続できる。ＢＳＳ２１８には、ＭＳと無線通信ネットワークとの間で無線周波数信号を送受信する無線基地局装置（ＢＴＳ）２２０、およびコア・ネットワーク２３６とＭＳ２０４との間の通信を管理する基地局制御装置（ＢＳＣ）を含めることができる。ＧＳＭ無線通信ネットワークでは、ＭＳ２０４は、同時には１つのＢＳＳに接続できる。ＭＳ２０４はＧＳＭ無線通信ネットワークの至るところを移動するので、ＢＳＣ２２２は、異なるセルにある異なるＢＴＳ２２０へのＭＳ２０４のハンドオーバを管理できる。ＧＳＭ無線アクセス・ネットワークＢＳＳ２１８は、回線交換機能およびパケット交換機能を提供する機能集中型コア・ネットワーク２３６に接続する。
【００１６】
コア・ネットワーク２３６には、外部の公衆交換電話網（ＰＳＴＮ）とやり取りする音声トラヒックを伝えることができる回線交換ドメイン２３８、および外部の公衆データ網（ＰＤＮ）とやり取りするデータ・トラヒックを伝えることができるパケット交換ドメイン２４０を含むことができる。回線交換ドメイン２３８には、移動加入者を他の移動加入者に、または関門ＭＳＣｓ（ＧＭＳＣ）２３０を通して他のネットワーク上の加入者に接続する、複数の移動交換局（ＭＳＣ）２２８を含むことができる。パケット交換ドメイン２４０には、データ・トラヒックを、移動加入者間で、および１つ以上の関門ＧＰＲＳサポート・ノード（ＧＧＳＮ）２２６を通してＰＤＮ２３４内の他のデータ発信元およびデータ受信先に送り届ける、サービングＧＰＲＳサポート・ノード（ＳＧＳＮ：serving GPRS support node）２２４と呼ばれる複数のサポート・ノードを含むことができる。コア・ネットワーク２３６は、異なる無線リンク技術を用いる複数の無線リンク・アクセス・ネットワーク・サブシステムにより、通例用いられることができる。図２に示されるように、ＵＭＴＳ地上無線アクセス・ネットワーク（ＵＴＲＡＮ）２１４とＧＳＭ  ＢＳＳ２１８の双方が、同じコア・ネットワーク２３６に接続できる。
【００１７】
コア・ネットワーク２３６の回線交換ドメイン２３８およびパケット交換ドメイン２４０は、各々並行して動作でき、そして双方のドメインは同時に、異なる無線アクセス・ネットワークに接続できる。ＵＭＴＳ無線アクセス・ネットワーク内のＵＴＲＡＮ２１４には、複数の無線ネットワーク・サブシステム（ＲＮＳ）２１６を含むことができる。各ＲＮＳ２１６には、無線周波数信号を送受信する“Ｎｏｄｅ  Ｂ”２０６／２１０、および“Ｎｏｄｅ  Ｂ”２０６／２１０ネットワーク要素とコア・ネットワーク２３６との間の通信を管理する無線ネットワーク制御装置（ＲＮＣ）２０８／２１２を含むことができる。ＧＳＭ無線アクセス・ネットワーク内のＭＳ２０４と異なり、ＵＥ２０２は同時に、２つ以上の無線ネットワーク・サブシステム（ＲＮＳ）２１６に接続できる。１つのＲＮＳ２１６には、ＵＥ２０２とコア・ネットワーク２３６との間の論理的接続を一次のＮｏｄｅ  Ｂ２０６を通して維持する“サービング”無線ネットワーク制御装置（ＳＲＮＣ）２０８を含むことができる。２番目のＲＮＳ２１６には、一次のＮｏｄｅ  Ｂ２０６を通して無線リンクを補充する、二次のＮｏｄｅ  Ｂ２１０を通して追加無線リンク・リソースを提供する“ドリフト”無線ネットワーク制御装置（ＤＲＮＣ）２１２を含むことができる。２つ以上のＲＮＳ２１６に接続される場合、ＵＥ２０２は、“ソフト”ハンドオーバ状態にあると考えることができる。サービングＲＮＣ２０８は、二次のＮｏｄｅ  Ｂ２１０およびドリフトＲＮＣ２１２を通過するトラヒックを含む、ＵＥ２０２とコア・ネットワーク２３６との間の通信に対する単一の接続ポイントを提供できる。
【００１８】
“ソフト”ハンドオーバは、ＵＥ２０２の接続を、異なるＲＮＳ２１６にある異なるＮｏｄｅ  Ｂ間で切れ目なく転送するのに用いることができる。ハンドオーバはまた、接続を変更するために、ＵＥ２０２とＵＴＲＡＮ２１４との間で無線リンクの追加および削除を管理するのに用いることができる。ＵＥ２０２で受信した無線周波数信号の特性を判断するために、ＲＮＳ２１６は、ＵＥ２０２により採集され、そして測定制御メッセージによってＲＮＳ２１６に返送される測定結果を用いることができる。たとえば、図１の無線通信ネットワーク１００がＵＭＴＳ無線ネットワークであると考えよう。サービングセル内の無線ネットワーク・サブシステム１０４は、移動無線通信デバイス１０６に、隣接セル１１０内の無線ネットワーク・サブシステム１０８とともに、周辺の隣接セルにある他の無線ネットワーク・システムを測定するように指示できる。
【００１９】
ＵＭＴＳ無線通信ネットワークは、広帯域符号分割多元接続（Ｗ−ＣＤＭＡ）として知られる無線通信リンク技術を用いることができる。Ｗ−ＣＤＭＡ伝送は、直接拡散変調方式に基づいて、比較的広い帯域を占有することができる。ＵＥ２０２とＵＭＴＳネットワーク内のＲＮＳ２１６との間での伝送は、拡散符号により変調でき、そしてＲＮＳ２１６に接続された各ＵＥ２０２は、異なる拡散符号を用いることができるが、しかし同じ周波数スペクトルを用いて同時に送信できる。受信信号は、正確に適合した逆拡散符号と相関をとることにより復調できる。Ｗ−ＣＤＭＡで用いられる一連の拡散符号は互いに直交できるので、特定のＵＥを対象とした信号は、信号の全てが重複し、そして同時に同じ周波数スペクトルを用いることができるにも係わらず、他のＵＥに送信された信号と分離できる。ＵＭＴＳスペクトル拡散信号は、ＧＳＭ信号により用いられる比較的狭い２００ｋＨｚチャネル帯域幅に比べて、より広い５ＭＨｚチャネル帯域幅を占有できる。
【００２０】
図３は、移動無線通信デバイス１０６がその状態にあり得る、いくつかの異なる状態を含む状態図３００を説明している。“電源投入”初期化後、移動無線通信デバイス１０６は、周辺のアクセス・ネットワーク・サブシステム、たとえばＧＳＭネットワークに対しては基地局サブシステムＢＳＳ２１８、またはＵＭＴＳネットワークに対してはＵＴＲＡＮ２１４内のＲＮＳ２１６などを探索できる。移動無線通信デバイス１０６は、特定のネットワークに接続されていない場合、異なる周波数で受信無線信号を測定できる。測定結果は、利用可能な異なる周辺セルに対する信号強度および品質を判定するのに用いることができる。移動無線通信デバイス１０６は、アイドル・モード３２４で、ＧＳＭネットワークまたはＵＭＴＳネットワーク内のセル上に“留まる（camp on）”ことができる。ＧＳＭネットワーク上では、移動無線通信デバイス１０６（等価的に、移動機ＭＳ２０４）は、ＢＳＳ２１８との通信によって無線リソースを確立／解放すること３２２により、ＧＳＭ“滞留（camped）”状態３１４およびＧＳＭ“接続中（connected）”状態３１６との間で遷移できる。同様に、ＵＭＴＳネットワーク上で、移動無線通信デバイス１０６（等価的にユーザ装置ＵＥ２０２）は、ＵＴＲＡＮ２１４内のＲＮＳ２１６との通信によって無線リソース制御を確立／解放すること３２０により、ＵＴＲＡＮ“滞留（camped）”状態３１２とＵＴＲＡ無線リソース制御“接続中”状態３１０の間で変わることができる。ＵＭＴＳ  ＵＥ２０２は、ＵＭＴＳネットワークに接続されている場合、４つの明確な状態のうちの１つにいることができる。セルＤＣＨ（専用チャネル）状態３０６で、ＵＥ２０２には、上りリンク方向と下りリンク方向の双方で専用物理チャネルが、双方向で送受信するためにトランスポート・チャネルを含めて割り当てることができる。セルＦＡＣＨ（順方向アクセス・チャネル）状態３０８で、ＵＥ２０２は、割り当てられる専用物理チャネルを有することはできないが、しかし共通の下りＦＡＣＨを監視し、そして共通の共用トランスポート上りリンク・チャネルで送信できる。セルＰＣＨ（ページング・チャネル）状態３０４で、ＵＥ２０２は、割り当てられる専用物理チャネルを有することはできないが、しかし共通のページング・インジケータ・チャネル（ＰＩＣＨ）を、上りリンクの活動が可能でないと、監視できる。ＵＲＡ（ＵＴＲＡＮ登録エリア）ＰＣＨ状態３０２は、ＵＥ２０２が比較的狭い“セル”レベルよりもむしろ広い“ＵＲＡ”レベルに基づいてＵＭＴＳネットワークに知られることを除いて、セルＰＣＨ状態３０４に似ている。ＵＲＡはＵＭＴＳネットワークにおいて複数のセルで構成されることができる。
【００２１】
異なる無線ネットワークに対する地理的領域は、異なる地域と重なり、カバーすることができるので、マルチネットワークが可能な移動無線通信デバイス１０６は、ＵＭＴＳネットワークとＧＳＭネットワークとの間で、ＲＡＴ間（inter-RAT）ハンドオーバ３１８を用いることにより切り替える場合、途切れのない接続を維持できる。ＵＭＴＳネットワークに接続されている場合、ＵＥ２０２と、Ｗ−ＣＤＭＡを用いるＵＭＴＳネットワークとの間での通信が途切れなく続けることができ、このようにして、同じネットワーク内の他のセル（または異なるネットワーク内のセル）からの信号を聴取し、そして測定するための無音期間を容認しない。途切れのないＷ−ＣＤＭＡ伝送は時分割多元接続（ＴＤＭＡ）伝送と異なっている。ＴＤＭＡ伝送では一定のタイムスロットのみが移動無線通信デバイス１０６により接続されている場合に用いられることができるが、一方、他のタイムスロットは、他の無線通信デバイスによる使用のために開放されている。“アイドル（idle）”タイムスロットは、移動無線通信デバイス１０６に、それが接続されている無線ネットワーク・サブシステム以外の無線ネットワーク・サブシステムにより報知される信号を聴取する機会を容認できる。図４に説明されているように、移動無線通信デバイス４０２は、搬送波周波数ｆ１を用いてサービングセル４０６内の無線ネットワーク・サブシステム４０４に接続できる。隣接セル４１０は、異なる搬送波周波数ｆ２で送信する無線ネットワーク・サブシステム４０８を含むことができ、一方、隣接セル４１４は、搬送波周波数ｆ３で送信する無線ネットワーク・サブシステム４１２を含むことができる。無線ネットワーク・サブシステム４０８および無線ネットワーク・サブシステム４１２からの送信を検出し、そして測定するために、移動無線通信デバイス４０２内の受信機は、各無線ネットワーク・サブシステムの周波数ｆ２および周波数ｆ３に、間欠的に同調できる。移動無線通信デバイス４０２が“アイドル”状態にある場合、デバイスの受信機の周波数同調は、生きている接続が存在しないので、用いられることができるが、しかしながら、移動無線通信デバイスが“接続中”状態にある場合、送信におけるギャップ（すなわち、圧縮モード）が、移動無線通信デバイス４０２が聴取できるように生成される。
【００２２】
図５は、圧縮モード伝送に対する代表的なフレーム構造５００を説明している。圧縮モードは、ＵＭＴＳネットワークによりＵＥ２０２に伝えられるパラメータのセットにより、一意的に定義できる。ＵＥ２０２とＵＭＴＳネットワークとの間の通信は、連続したフレームのシーケンスに分割でき、各フレームは１０ミリ秒の一様な時間区間を占有する。１０ミリ秒の各フレームは、複数のタイムスロットに細分でき、そして非圧縮モードでは、送信は全てのタイムスロットを連続して占有できる。圧縮モードでは、一定のフレームには送信のないタイムスロットを含めることができる。代表的な実施形態では、圧縮モードはフレームの反復する送信ギャップ・パターン（ＴＧＰ）により定義され、各ＴＧＰは連続したフレームの送信ギャップ・パターン長（ＴＧＰＬ）５１２を有する。ＴＧＰは、圧縮モードの間を通じて、送信ギャップ・パターン反復計数（ＴＧＰＲＣ）の回数、繰り返すことができる。送信ギャップ・パターン内では、２つの異なる送信ギャップが定義される。第１の送信ギャップは、送信ギャップ開始スロット番号５０８で、送信ギャップ・パターンの第１の１０ミリ秒フレームから開始でき、そして第１の送信ギャップ長５０２に及ぶことができる。第１の送信ギャップ内のタイムスロットは、送信される信号を伝えることはできないが、一方、第１の送信ギャップを含む、同じ１０ミリ秒フレーム内を囲むタイムスロットは、補償するために信号電力をブーストできる。送信ギャップに隣接する送信セグメントをブーストすることにより、一定のデータ転送速度が維持できる。送信ギャップ・パターンには、第１の送信ギャップの開始後、送信ギャップ開始間隔５１０で開始する第２の送信ギャップ長５０４を有する第２の送信ギャップを含むことができる。図５に説明されているように、送信ギャップは、（第１の送信ギャップに対して示されているように）単一の１０ミリ秒フレームに含まれるか、または（第２の送信ギャップに対して示されているように）２つの隣接する１０ミリ秒フレームに跨ることができる。各１０ミリ秒フレーム内のタイムスロットの最小数は、ブーストされた送信セグメント５０６がピーク電力レベル以下に留まることができること、および一定のデータ転送が送信ギャップの有無に係わらずフレーム横断的に達成できること、を保証するために必要である可能性がある。圧縮モードは、上りリンク方向と下りリンク方向の双方に適用できる。上りリンクの圧縮モードは、たとえば、測定すべき周波数がその時点で用いている上りリンク方向の周波数に近いと、下りリンク方向の受信信号の測定中に周波数間干渉を防止するために、発生することができる。圧縮モードを規定するのに用いられる特定パラメータの値は、ＵＭＴＳネットワーク内のＵＥ２０２の位置に基づいて、そしてまたＵＭＴＳネットワークの特性に基づいて変わることができる。たとえば、測定すべき周波数の数は、測定に利用できるより多くの周波数がより長い時間を測定に割り当てられる必要があると、たとえば地域内のセルの数および密度などのネットワーク・トポロジーに依存する可能性がある。
【００２３】
ＵＥ２０２が接続して稼働中である、ＵＭＴＳネットワーク内の無線ネットワーク・サブシステム（ＲＮＳ）２１６は、測定に着手するために圧縮モードにいつ入るべきかを判断できる。図６で、ＵＥ２０２とＲＮＳ２１６との間でのメッセージ交換シーケンス６００により示されているように、測定結果報告６０２はＲＮＳ２１６に送ることができる。測定結果報告は、ＲＮＳ２１６からの要求に応答して、またはＵＥ２０２からの定期的または散発的な更新として独立に、ＵＥ２０２により送られることができる。測定結果報告６０２は、ＲＮＳ２１６に接続されている間、ＵＥ２０２により受信される信号の特性を記述できる。測定結果報告６０２で受信された値に基づいて、ＲＮＳ２１６は、測定制御メッセージ６０４をＵＥ２０２に送ることにより、圧縮モードを用いる測定期間を指令できる。ＵＥ２０２での圧縮モードを用いた測定結果は、その時点で用いられているのとは異なるＵＭＴＳ周波数に対する、またはＧＳＭ周波数に対する、または別の送信プロトコルを用いる無線リンク周波数に対するものである可能性がある。測定制御メッセージ６０４には、圧縮モードがいつ開始し、そしていつ終了すべきかの時刻表示、並びに、図５に示されている送信ギャップ・パターンを含めることができる。（測定制御メッセージ６０４にはまた、圧縮モードがいつ終了すべきかの時刻表示を含めないことがあり、その場合、第２の測定制御メッセージが圧縮モードを脱するために送られることができる。）ＵＥ２０２とＲＮＳ２１６の双方は、圧縮モードを同時に開始し、そして終了するように期待される。ＵＥ２０２とＲＮＳ２１６との間の時刻同期は、それらの間の無線リンクの各端点でフレームカウンタを用いることにより維持できる。サービングセル内のＲＮＳ２１６に関連する無線ネットワーク制御装置は、１０ミリ秒フレームごとに１回加算するシステム・フレーム数（ＳＦＮ）カウンタを動作できる。代表的な実施形態では、ＳＦＮカウンタは、１２ビットの長さを有することができ、そしてこのようにしてＳＦＮカウンタに対する値は、４０．９６秒ごとに“一巡する”ことができる。ＲＮＳ２１６は、ＳＦＮカウンタ値を一定の間隔で、報知チャネル、たとえばＵＭＴＳネットワーク内の報知制御チャネル（ＢＣＣＨ）によって送信できる。ＵＥ２０２は、報知されたＳＦＮカウンタ値を用いて、物理チャネル・レイヤ１レベルで時刻同期を維持できる。
【００２４】
ＵＥ２０２とＲＮＳ２１６はまた、より高位レベルのレイヤ（媒体アクセス制御（ＭＡＣ）レイヤ２、無線リンク制御（ＲＬＣ）レイヤ２、および無線リソース制御（ＲＲＣ）レイヤ３）での時刻同期を、ＵＥ２０２とＲＮＳ２１６との間の接続の各端点でレイヤ１のＳＦＮカウンタに基づいて、ローカルに導出される接続フレーム番号（ＣＦＮ）カウンタを用いて維持できる。代表的な実施形態では、ＣＦＮカウンタは、８ビットの長さを有することができ、そしてこのようにしてＣＦＮカウンタに対する値は、２．５６秒ごとに“一巡する”ことができる（ＳＦＮカウンタが“一巡する”よりも相当短い）。ＵＥ２０２がＣｅｌｌ  ＤＣＨ３０６状態にあるＲＮＳ２１６に接続されている場合、ＣＦＮカウンタ値は、ＣＦＮ＝（ＳＦＮ−（ＤＯＦＦ  ｄｉｖ  ３８４００））ｍｏｄ２５６として、ＳＦＮカウンタ値と関連付けでき、ここで、ＤＯＦＦは、ＵＥ２０２との接続を確立している場合に、ＲＮＳ２１６内の無線ネットワーク制御装置により供給されるオフセット値であることができる。ＵＥ２０２がＣｅｌｌ  ＦＡＣＨ３０８状態にある場合、ＣＦＮカウンタ値は、ＳＦＮカウンタ値からＣＦＮ＝ＳＦＮｍｏｄ２５６（すなわち、１２ビットＳＦＮ値の最下位８ビット）として計算できる。“拡張”ＣＦＮ値はまた、Ｃｅｌｌ  ＰＣＨ３０４状態かＵＲＡ−ＰＣＨ３０２状態のいずれかでは、最下位８ビットのみよりはむしろ１２ビット全てを用いることにより、すなわちモジュロ２５６演算を除いた上記と同じ式を用いることにより計算できる。
【００２５】
ＲＮＳ２１６によりＵＥ２０２に送られる測定制御メッセージ６０４では、ＣＦＮ値は、ＵＥ２０２およびＲＮＳ２１６が圧縮モードを開始すべきフレームの時刻表示として含まれることができる。図５で示されているように、圧縮モードは、測定制御メッセージ６０４に含まれるＣＦＮ値により示されるフレーム内の（送信ギャップ開始スロット番号５０８に基づいた）特定のタイムスロットで開始できる。ＵＥ２０２が測定制御メッセージ６０４を、時宜に即して受信し、そして解釈できると、その場合、ＵＥ２０２およびＲＮＳ２１６は同時に圧縮モードに入ることができる。“良好な（good）”無線リンクによって、測定制御メッセージ６０４は１００ミリ秒未満で受信でき、そしてＵＥ２０２での迅速な処理を受けて、圧縮モードは、ＣＦＮカウンタの２．５６秒に“一巡する”区間より遥かに短いうちに入ることができる。ＲＮＳ２１６により送られる測定制御メッセージ６０４は、レイヤ２プロトコル・データ・ユニット（ＰＤＵ）のシーケンスとして、無線リンクによってＵＥ２０２に送信されるレイヤ３シグナリングデータユニット（ＳＤＵ）であることができる。ＵＥ２０２でのレイヤ２プロトコル・ハンドラーは、ＳＤＵのうちのＰＤＵｓの全てが、レイヤ３ＳＤＵを再構築するまえに、正しく受信されることを保証できる。レイヤ２プロトコルの代表的な実施形態では、各レイヤ２ＰＤＵのＵＥ２０２による受信が、送信したＲＮＳ２１６に確認されることができる。ＵＥ２０２からの確認応答がないと、ＰＤＵは、ＵＥにより首尾よく受信され、そしてＲＮＳ２１６に確認されるまで再送できる。レイヤ２プロトコルの別の代表的な実施形態では、各ＰＤＵはシーケンス番号を含むことができ、そしてＵＥ２０２は、ＵＥ２０２で受信されたＰＤＵのシーケンス番号に基づいて、特定の紛失ＰＤＵの再送を要求できる。
【００２６】
測定制御メッセージ６０４が再送により遅延すると、その場合、遅延した測定制御メッセージ６０６内のＣＦＮ値により示されるフレームは、意図された将来よりはむしろ過去（past）にある可能性がある。遅延した測定制御メッセージ６０６を用いて、異なる時点で圧縮モードに入り、そして脱すると、ＵＥ２０２およびＲＮＳ２１６が、無線リンク接続を介する送信誤りをもたらす可能性がある。たとえば、遅延した測定制御メッセージ６０６が、圧縮モード期間の開始に対して１００なるＣＦＮ値を特定すると、ＲＮＳ２１６は１００なるＣＦＮ値で圧縮モードに入ることができるが、一方、ＵＥ２０２は、２５６フレーム（一巡の時間区間）の１倍以上の一巡後に後続する１００なるＣＦＮ値で圧縮モードに入ることができる。
【００２７】
図７は、ＵＥ２０２とＲＮＳ２１６との間でのメッセージ転送の代表的なシーケンス７００を説明しており、ここでＳＤＵには３つのＰＤＵがあり、各ＰＤＵは一意のシーケンス番号を有する。第１のＰＤＵ（ＰＤＵ１  ７０２）および第３のＰＤＵ（ＰＤＵ３  ７０６）は、図示されているように、ＵＥ２０２で受信は成功するが、一方、第２のＰＤＵ（ＰＤＵ２  ７０４）は、送信中に破損され、そしてＵＥ２０２で受信が成功しない。ＵＥ２０２は、紛失したＰＤＵ２  ７０４の再送７０８を要求でき、そしてＲＮＳ２１６は続けてＰＤＵ２  ７１０を再送できる。再送がなければ、ＳＤＵは“通常の”時間区間７１２で、ＵＥ２０２により首尾よく受信できるが、しかし、再送があると、ＳＤＵは“拡張”時間区間７１４によってＵＥ２０２により受信は成功する。拡張時間区間７１４の終端は、ＳＤＵに埋め込まれた圧縮モードが開始すべきＣＦＮ値により示された、フレームの後に生じることができる。複数の再送はＳＤＵの受信が成功するための時間を延ばす可能性があり、無線通信リンクの各端点で圧縮モードの不整合を相当もたらす。
【００２８】
完全なＳＤＵを遅れて受信すると、ＵＥ２０２およびＲＮＳ２１６は各々、図８に説明されているように、時間で整合が取れていない圧縮モードを開始し、そして終了する可能性がある。時系列８００は、ＲＮＳ２１６により首尾よく送信され、そして測定制御メッセージ８０２に示されている時刻（ＣＦＮ値）より前の時刻にＵＥ２０２により受信される測定制御メッセージ８０２を説明している。時系列８００に対して、ＵＥ２０２およびＲＮＳ２１６は、共に整合がとれた圧縮モードを開始し、そして終了できる。時系列８１０は、ＣＦＮ値の後に再送により遅延した測定制御メッセージ８０４を説明している。時系列８１０に対して、ＵＥ２０２およびＲＮＳ２１６は異なる時間に圧縮モードを開始し、そして終了する可能性があり、そして圧縮モード期間はこのようにして整合されることができない。図８に示されているように、ＲＮＳ２１６は、ＵＥ２０２より前に圧縮モードに入り、そして終了する可能性があり、誤りを起こしやすい時間セグメント８０６をもたらす。誤りを起こしやすい時間セグメント８０６の間、接続の片側は圧縮モードにあることができるが、一方、他方は圧縮モードにあることができない。誤りを起こしやすい時間セグメント８０６に対して、接続の片側は連続したフレームを用いた送信を期待するが、一方、他方の側は送信ギャップを含むフレームを期待する可能性がある。この圧縮モードの不整合は、ＵＥ２０２でおよびＲＮＳ２１６で、送信された信号を誤って受信することになる可能性がある。
【００２９】
ＵＥ２０２は、ＲＮＳ２１６から完全な測定制御メッセージＳＤＵを受信するのに必要な時間に関する情報を用いることにより、圧縮モード時間区間の不整合を最小にすることができる。ＵＥ２０２におけるレイヤ２処理は、複数の個々に受信したＰＤＵから測定制御メッセージＳＤＵを再構築できる。ＵＥ２０２は、受信した各ＰＤＵに対するＳＦＮ値を知ることができる。図９の時系列９００により示されているように、ＵＥ２０２は、測定制御メッセージＳＤＵの最初に受信したＰＤＵに対する拡張ＣＦＮ９０２および最後に受信したＰＤＵに対する拡張ＣＦＮ９０４を計算できる。再送のために、最後に受信したＰＤＵは、再構築された測定制御メッセージＳＤＵ内の最終のＰＤＵと異なる可能性がある。最後に受信したＰＤＵに対する拡張ＣＦＮ値と最初に受信したＰＤＵに対する拡張ＣＦＮ値との差が、２５６フレーム（すなわち、一巡のモジュロ値）に等しいか、または上回ると、その場合、ＵＥ２０２でのＣＦＮ値は、完全な測定制御メッセージＳＤＵを受信する時間の間に、“一巡した（rolled over）”可能性がある。このケースでは、ＲＮＳ２１６は、ＵＥ２０２が最終のＰＤＵを受信する時間までに、圧縮モードを既に開始している可能性がある。ＵＥ２０２は、ＲＮＳ２１６が圧縮モードを既に開始していると、誤りを最小にし、そして接続の両側で圧縮モード区間の重なりを最大にするために、できるだけ速やかに圧縮モードに入ることができる。上記の計算は最後に受信したＰＤＵ９０４に対する拡張ＣＦＮ値を用いることができるけれども、ＵＥ２０２はまた、測定制御メッセージＳＤＵの最初のＰＤＵの受信と“現在（current）”時刻との間に経過した時間が、２５６フレームの一巡時間に等しいか、または上回るかどうかを比較するために、“現在（current）の”拡張ＣＦＮ値を用いることができる。
【００３０】
上述したように、測定制御メッセージＳＤＵ内のＰＤＵの全てを受信する時間が２５６フレームに等しいか、または上回る場合、ローカルなＣＦＮカウンタは一巡することができる。測定制御メッセージＳＤＵに対する全てのＰＤＵｓを受信するための総時間が２５６フレーム未満である場合、特に最初のＰＤＵが送られてから直ぐに生じるフレームでＲＮＳ２１６が圧縮モードを開始するように要求すると、圧縮モードを開始する時刻は最終のＰＤＵが受信される前に生じる可能性がある。ＲＮＳ２１６は、ＵＥ２０２にあるローカルＣＦＮカウンタが２５６フレーム後に一巡する可能性があることを認識できるので、ＲＮＳ２１６は、測定制御メッセージＳＤＵで、圧縮モードが２５６フレームより長い将来の時刻に開始することを要求しないであろう。ＵＥ２０２は、圧縮モードが測定制御メッセージＳＤＵで受信したＣＦＮ値に基づいて開始すべき、将来のフレームに対する拡張ＣＦＮ値９０６を計算できる。ＵＥ２０２は、将来開始するフレームに対する計算された拡張ＣＦＮ値９０６と最初に受信したＰＤＵ９０２に対する拡張ＣＦＮ値との差を判断できる。前記差が２５６フレームに等しいか、または２５６フレームより大きいと、その場合、圧縮モードを開始すべき実際のフレームがその時以前に生じる可能性がある。この追加のケースでは、ＲＮＳ２１６はまた、ＵＥ２０２が最終のＰＤＵを受信する時間までに圧縮モードを既に開始している可能性がある。この場合もＵＥ２０２は、圧縮モード時間区間をＲＮＳ２１６と部分的に整合させるために、圧縮モードに入るべき実際のフレームが過ぎていることを検出後、直ぐに圧縮モードに入ることができる。
【００３１】
図１０は、圧縮モード時間区間が部分的に整合された、ＵＥ２０２およびＲＮＳ２１６を説明している。ＵＥ２０２は、圧縮モード開始フレームが、ＲＮＳ２１６からの測定制御メッセージ１００２内の時刻表示により規定されるので、その時点以前に生じることができるかどうかを検出できる。ＵＥ２０２は、ＵＥ２０２およびＲＮＳ２１６で圧縮モード時間区間の重なりを最大にするために、図１０に示されているように、完全な測定制御メッセージ１００２を受信後、できる限り速やかに圧縮モードに入ることができる。重なりがない時間区間、すなわちＲＮＳ２１６が圧縮モードを開始する時点からＵＥ２０２が圧縮モードを開始する時点までは、まだ誤りを生む可能性があるが、しかしこの誤りやすい時間セグメント１００４は、ＵＥ２０２の早急の措置により、長さを最小にできる。ＵＥ２０２およびＲＮＳ２１６はともに、時間の重なりが最大である時間セグメント１００６の間に圧縮モードを用いて送信できる。ＵＥ２０２は、測定制御メッセージ１００２でＲＮＳ２１６により供給されるパラメータに基づいて、圧縮モードをいつ停止すべきかを判定できる。ＵＥ２０２は、圧縮モードがＵＥ２０２でローカルにいつ開始したかを知ることができるので、ＵＥ２０２は、ＲＮＳ２１６が圧縮モードを終了するのと同時に圧縮モードを終了できる。ＵＥ２０２での圧縮モード時間セグメントは、測定制御メッセージ１００２内のパラメータにより規定されるよりも短い可能性がある。
【００３２】
図１１は、移動無線通信デバイスにおいて構成変更時間を制御するための方法を概観している。工程１１０２で、移動無線通信デバイスは、第１の構成モードで無線ネットワークに接続されていて、無線ネットワーク内の無線ネットワーク・サブシステムから制御メッセージを、ローカルな受信時刻で受信できる。移動無線通信デバイスは、工程１１０４で、受信した制御メッセージから時刻表示を取り出すことができる。工程１１０６で、移動無線通信デバイスは、取り出した時刻表示、および制御メッセージが受信された移動無線通信デバイスでのローカル時間を、ローカルな開始時刻を判定するために用いることができる。ローカルな開始時刻は、移動無線通信デバイスが構成をいつ変更できるかを示すことができる。工程１１０８で、移動無線通信デバイスは、判定したローカルな開始時刻で第２の構成モードに再構成できる。
【００３３】
前述の明細書は圧縮モードに入ることおよび圧縮モードを脱することを論じているが、同じ方法が、再構成制御メッセージでＲＮＳ２１６によりＵＥ２０２に対して要求された再構成変更をいつ開始すべきかを判定するのに、適用できる。再構成制御メッセージがＣＦＮを用いてフレームを規定すると、その場合、測定制御メッセージに対して説明したのと同じ“一巡する”問題がまた、再構成制御メッセージのＵＥ２０２による完全な受信を遅らせる可能性がある、雑音のある通信リンク上で生じる可能性がある。
【００３４】
説明した実施形態の様々な態様は、ソフトウェア、ハードウェア、またはハードウェアとソフトウェアの組み合わせで実装できる。説明した実施形態はまた、製造作業を制御するために、コンピュータで読み取り可能な記憶媒体上でコンピュータで読み取り可能なコードとして、または熱可塑性成型部品を生産するのに用いられる製造ラインを制御するために、コンピュータで読み取り可能な記憶媒体上でコンピュータで読み取り可能なコードとして実施できる。コンピュータで読み取り可能な記憶媒体は、それ以降コンピュータ・システムにより読み取りできるデータを格納できる任意のデータ記憶デバイスである。コンピュータで読み取り可能な記憶媒体の例には、リード・オンリ・メモリ、ランダム・アクセス・メモリ、ＣＤ−ＲＯＭ、ＤＶＤ、磁気テープ、光データ記憶デバイス、および搬送波がある。コンピュータで読み取り可能な記憶媒体はまた、分散型コンピュータで読み取り可能なコードが格納され、そして実行されるように、ネットワークに結合されたコンピュータ・システムにわたって分散できる。
【００３５】
説明した実施形態の様々な態様、実施形態、実装または特徴は、個々にまたは任意に組み合せて用いることができる。前述した明細書は、説明のために、本開示の完全な理解を提供するために、特定の用語を用いた。しかしながら、当業者には、具体的な詳細が、本開示の様々な特徴を実行するためには、必要としないことは明らかであろう。このようにして、本開示の特定の実施形態の前述した明細書は、例示および説明のために提示されている。それらは、網羅的であること、または本開示が開示されたまさにその型式に限定することを意図するものではない。当業者には、上述の教示の観点から、多くの修正および変形が可能であることは明らかであろう。
【００３６】
実施形態は、本開示の原理および実際の適用を最もよく説明するために、それにより当業者が本開示、および意図される特定の用途に相応しいように様々な修正を伴った様々な実施形態を最もよく活用できるようにするために選び、そして説明した。
【図１】
0005535401.tif 000002
【図２】
0005535401.tif 000003
【図３】
0005535401.tif 000004
【図４】
0005535401.tif 000005
【図５】
0005535401.tif 000006
【図６】
0005535401.tif 000007
【図７】
0005535401.tif 000008
【図８】
0005535401.tif 000009
【図９】
0005535401.tif 000010
【図１０】
0005535401.tif 000011
【図１１】
0005535401.tif 000012